(57)【要約】【課題】装置構成の複雑化をきたすことなく、ディスクチルトの影響を受けにくい光ヘッドおよびそれを用いた光学的情報記録再生装置を提供する。【解決手段】受光素子の受光面は、光ディスク上の情報トラック方向にほぼ垂直な方向に沿って、光ディスクからの反射光を０次回折光と±１次回折光とが重なる干渉領域の中央部を除く領域にて受光するように、受光面６ａ，６ｄと受光面６ｂ，６ｃとに２分割されている。さらに、情報トラック方向にほぼ平行な方向に沿って、受光面６ａ，６ｄが受光面６ａと受光面６ｄとに２分割され、受光面６ｂ，６ｃが受光面６ｂと受光面６ｃとに２分割されている。受光面６ａ，６ｂ，６ｃ，６ｄの出力をそれぞれＡ、Ｂ、Ｃ、Ｄとすると、数式（Ａ＋Ｂ）−（Ｃ＋Ｄ）によって、トラッキングエラー信号ＳTEが得られる。【選択図】図２
2005135539.tif 000002
【特許請求の範囲】
【請求項１】
光ディスク上の情報トラックに収束光を照射して情報の記録および／または再生を行う光ヘッドであって、
前記光ディスクにて反射した反射光を、前記情報トラックにより回折した０次回折光と±１次回折光との干渉領域の中央部を除く領域にて受光する受光面を備え、前記受光面が前記情報トラック方向に平行な方向に２分割されている受光手段と、
前記受光面の２分割された領域の差動出力に基づいてトラッキングエラー信号を生成する演算手段とを有することを特徴とする光ヘッド。
【請求項２】
光ディスク上の情報トラックに収束光を照射して情報の記録および／または再生を行う光ヘッドであって、
前記光ディスクにて反射した反射光を受光する受光面と、前記光ディスクと前記受光手段との間の光路中に配置され、前記受光面のうち前記情報トラックにより回折した０次回折光と±１次回折光との干渉領域の中央部を遮光する遮光手段とを備え、前記受光面が前記情報トラック方向に平行な方向に２分割されている受光手段と、
前記受光面の２分割された領域の差動出力に基づいてトラッキングエラー信号を生成する演算手段とを有することを特徴とする光ヘッド。
【請求項３】
光ディスク上の情報トラックに収束光を照射して情報の記録および／または再生を行う光ヘッドであって、
前記光ディスクにて反射した反射光を、前記情報トラックにより回折した０次回折光と±１次回折光との干渉領域の中央部を除く領域にて受光する第１の受光面と、前記反射光を前記干渉領域の中央部にて受光する第２の受光面とを備え、前記第１および第２の受光面が前記情報トラック方向に平行な方向に２分割されている受光手段と、
前記第１の受光面の２分割された領域の差動出力に基づいてトラッキングエラー信号を生成するとともに、前記第２の受光面の２分割された領域の差動出力に基づいて、前記光ディスクのチルト量を示すチルト信号を生成する演算手段とを有することを特徴とする光ヘッド。
【請求項４】
光ディスク上の情報トラックに収束光を照射して情報の記録および／または再生を行う光ヘッドであって、
前記光ディスクにて反射した反射光を受光する受光面を備え、前記受光面が前記情報トラック方向に平行な方向に２分割されている受光手段と、
前記光ディスクと前記受光手段との間の光路中に配置され、前記情報トラックにより回折した０次回折光と±１次回折光との干渉領域の中央部の透過率の大小を切り替え可能な光学素子と、
前記光学素子の透過率を小とした時の、前記受光面の２分割された領域の差動出力に基づいてトラッキングエラー信号を生成するとともに、前記光学素子の透過率の大小を切り替えた時の、前記受光面の２分割された領域の差動出力の差異に基づいて、前記光ディスクのチルト量を示すチルト信号を生成する演算手段とを有することを特徴とする光ヘッド。
【請求項５】
請求項１から４のいずれか１項に記載の光ヘッドを用いて、情報の記録および／または再生を行うことを特徴とする光学的情報記録再生装置。
【発明の詳細な説明】
【技術分野】
【０００１】
本発明は、光ディスクに光学的に情報を記録および／または再生する光ヘッドおよびそれを用いた光学的情報記録再生装置に関する。
【背景技術】
【０００２】
光ディスクに安定に情報を記録および／または再生するには、光ディスク上の情報トラックに光スポットを正確に走査させなければならない。そのためには、光スポットがトラック中心から外れてしまうトラッキングエラーを検出し、その検出結果に基づいてトラッキング制御を行う必要がある。
【０００３】
近年の光ディスクの狭ピッチ化に伴い、トラッキング制御に対する精度の要求はますます厳しくなっている。トラッキングエラー検出方法の一つにプッシュプル法がある（例えば、特許文献１参照）。このプッシュプル法によるトラッキングエラー検出は、トラッキング制御の最も一般的な手法である。
【０００４】
図９に、プッシュプル法によるトラッキング制御を行う、従来の光学的情報記録再生装置用光ヘッドの構成を示す。
【０００５】
図９に示すように、不図示の光源から出射した光束を、コリメータレンズ１００を通過させた後、対物レンズ２００によって光ディスク４００上の情報トラックに集光させると、光ディスク４００からの反射光には情報トラックによって回折が生じる。このとき、０次回折光と±１次回折光とが重なる領域は遠視野で干渉しており、この領域では光ディスク４００上の光スポット位置に対応した強度分布が形成される。受光素子３００では、光ディスク４００にて反射し対物レンズ２００およびコリメータレンズ１００を通過した反射光のうち、０次回折光と±１次回折光との干渉領域における反射光を、情報トラック方向（ｔａｎ方向）に平行な方向に２分割された受光面のそれぞれにて検出する。そして、受光素子３００の後段の差動アンプ５００にて、受光素子３００の２分割されたそれぞれの受光面からの出力の差分を演算し、その差分値をトラッキングエラー信号とする。なお、受光素子３００には、一般に２分割フォトダイオードが用いられている。
【０００６】
このようにして得られたトラッキングエラー信号は、光スポットが情報トラックを横断する際に、トラック中心においてゼロクロスする周期信号となる。このトラッキングエラー信号に基づいて、光スポット位置がトラック中心に位置するように正確にトラッキング制御を行うことができる。
【特許文献１】特開平０７−１４１６７３号公報
【発明の開示】
【発明が解決しようとする課題】
【０００７】
しかしながら、プッシュプル法は、対物レンズのシフト（以下、「レンズシフト」と称する）や光ディスクのチルト（以下、「ディスクチルト」と称する）によって、トラッキングエラー信号にオフセットが生じるという問題がある。トラッキングエラー信号にオフセットが生じた場合、光スポット位置がトラック中央から外れてしまうデトラックが発生し、記録再生性能が低下するおそれがある。
【０００８】
これに対して、プッシュプル法の発展形であるディファレンシャルプッシュプル法は、複数の光束を用いることにより、レンズシフトやディスクチルトによって発生するトラッキングエラー信号のオフセットをキャンセルすることができる。ただし、光ディスクにチルトがある場合には、トラッキングエラー信号にひずみが発生してしまうため、オフセットをキャンセルしたとしてもデトラックを完全に抑えることはできない。
【０００９】
また、ディファレンシャルプッシュプル法は、ビーム分割の回折格子の調整が必要となるために装置構成、特に、受光素子の光学構造、センサ構造が複雑化し、装置がコストアップ、大型化してしまうといった問題もある。
【００１０】
本発明は、上記の問題点に鑑みてなされたものであって、装置構成の複雑化をきたすことなく、ディスクチルトの影響を受けにくいトラッキング制御を行うことが可能な光ヘッドおよびそれを用いた光学的情報記録再生装置を提供することを目的とする。
【課題を解決するための手段】
【００１１】
本発明の第１の態様による光ヘッドは、前記光ディスクにて反射した反射光を、前記情報トラックにより回折した０次回折光と±１次回折光との干渉領域の中央部を除く領域にて受光する受光面を備え、前記受光面が前記情報トラック方向に平行な方向に２分割されている受光手段と、前記受光面の２分割された領域の差動出力に基づいてトラッキングエラー信号を生成する演算手段とを有することを特徴とする。
【００１２】
本発明の第１の態様による光ヘッドによれば、受光手段の受光面を、光ディスクからの反射光を０次回折光と±１次回折光との干渉領域の中央部では受光しないように配置した上で、トラッキングエラー信号を生成しているため、生成されたトラッキングエラー信号は、コマによる波面収差の影響が小さいものとなる。
【００１３】
したがって、マスク等の部品を増やすことなく、ディスクチルトによるデトラックの発生を抑えることができ、それにより、ディスクチルトの影響を受けにくいトラッキング制御を行うことができる。
【００１４】
本発明の第２の態様による光ヘッドは、前記光ディスクにて反射した反射光を受光する受光面と、前記光ディスクと前記受光手段との間の光路中に配置され、前記受光面のうち前記情報トラックにより回折した０次回折光と±１次回折光との干渉領域の中央部を遮光する遮光手段とを備え、前記受光面が前記情報トラック方向に平行な方向に２分割されている受光手段と、前記受光面の２分割された領域の差動出力に基づいてトラッキングエラー信号を生成する演算手段とを有することを特徴とする。
【００１５】
本発明の第２の態様による光ヘッドによれば、マスク等の遮光手段を設け、光ディスクからの反射光を０次回折光と±１次回折光との干渉領域の中央部では受光しないようにした上で、トラッキングエラー信号を生成しているため、生成されたトラッキングエラー信号は、第１の態様と同様に、コマによる波面収差の影響が小さいものとなる。
【００１６】
したがって、ディスクチルトによるデトラックの発生を抑えることができ、それにより、ディスクチルトの影響を受けにくいトラッキング制御を行うことができる。また、第１の態様と比較して、より単純な受光手段および演算手段によって、ディスクチルトの影響を受けにくいトラッキング制御を行うことができる。
【００１７】
本発明の第３の態様による光ヘッドは、前記光ディスクにて反射した反射光を、前記情報トラックにより回折した０次回折光と±１次回折光との干渉領域の中央部を除く領域にて受光する第１の受光面と、前記反射光を前記干渉領域の中央部にて受光する第２の受光面とを備え、前記第１および第２の受光面が前記情報トラック方向に平行な方向に２分割されている受光手段と、前記第１の受光面の２分割された領域の差動出力に基づいてトラッキングエラー信号を生成するとともに、前記第２の受光面の２分割された領域の差動出力に基づいて、前記光ディスクのチルト量を示すチルト信号を生成する演算手段とを有することを特徴とする。
【００１８】
本発明の第３の態様による光ヘッドによれば、光ディスクからの反射光を０次回折光と±１次回折光との干渉領域の中央部を除く領域にて受光する第１の受光面の出力を基にトラッキングエラー信号を生成しているため、生成されたトラッキングエラー信号は、第１および第２の態様と同様に、コマによる波面収差の影響が小さいものとなる。また、光学的な干渉を利用し、光ディスクからの反射光を干渉領域の中央部にて受光する第２の受光面の出力を基にチルト信号を生成しているため、生成されたチルト信号は、光ディスクのチルト量を非常に高精度に示したものとなる。
【００１９】
したがって、マスク等の部品を増やすことなく、ディスクチルトによるデトラックの発生を抑えることができ、それにより、ディスクチルトの影響を受けないトラッキング制御を行うことができる。また、同時に、光ディスクのチルト量を高精度に示すチルト信号を得ることができる。
【００２０】
本発明の第４の態様による光ヘッドは、前記光ディスクにて反射した反射光を受光する受光面を備え、前記受光面が前記情報トラック方向に平行な方向に２分割されている受光手段と、前記光ディスクと前記受光手段との間の光路中に配置され、前記情報トラックにより回折した０次回折光と±１次回折光との干渉領域の中央部の透過率の大小を切り替え可能な光学素子と、前記光学素子の透過率を小とした時の、前記受光面の２分割された領域の差動出力に基づいてトラッキングエラー信号を生成するとともに、前記光学素子の透過率の大小を切り替えた時の、前記受光面の２分割された領域の差動出力の差異に基づいて、前記光ディスクのチルト量を示すチルト信号を生成する演算手段とを有することを特徴とする。
【００２１】
本発明の第４の態様による光ヘッドによれば、光学素子の透過率を小とし、受光素子の受光面のうち０次回折光と±１次回折光との干渉領域の中央部では受光しにくいようにした上で、トラッキングエラー信号を生成しているため、生成されたトラッキングエラー信号は、第１〜第３の態様と同様に、コマによる波面収差の影響が小さいものとなる。また、光学的な干渉を利用し、光学素子の透過率を切り替えた時の０次回折光と±１次回折光との干渉領域の中央部の出力の差異を基にチルト信号を生成しているため、生成されたチルト信号は、光ディスクのチルト量を非常に高精度に示したものとなる。
【００２２】
したがって、ディスクチルトによるデトラックの発生を抑えることができ、それにより、ディスクチルトの影響を受けないトラッキング制御を行うことができる。また、同時に、光ディスクのチルト量を高精度に示すチルト信号を得ることができる。また、第３の態様と比較して、より単純な受光手段および演算手段によって、ディスクチルトの影響を受けにくいトラッキング制御を行うことができる。
【発明の効果】
【００２３】
以上説明したように本発明によれば、装置構成を複雑化することなく、情報トラックによる０次回折光と±１次回折光の干渉領域の中央部を受光しない領域の出力を基にトラッキングエラー信号を生成しているため、コマ収差の影響を小さくし、ディスクチルトの影響を抑えたトラッキング制御を行うことができる。
【発明を実施するための最良の形態】
【００２４】
以下、本発明を実施するための形態について、図面を参照しながら詳細に説明する。
【００２５】
（第１の実施形態）
図１に、本発明の第１の実施形態における光学的情報記録再生装置用光ヘッドの構成を示す。図１に示す光ヘッドは、波長６５０ｎｍの半導体レーザであるレーザ光源１と、偏光ビームスプリッタ２と、コリメータレンズ３と、１／４波長板４と、ＮＡ０．６５の対物レンズ５と、受光素子６とから構成されており、光ディスク７に対して情報の記録および／または再生を行う。
【００２６】
レーザ光源１から出射した光束は、偏光ビームスプリッタ２を反射した後、コリメータレンズ３、１／４波長板４を通過した後、対物レンズ５によって光ディスク７上の情報トラックに集光される。光ディスク７は、トラックピッチが０.６４μｍ（グルーブ記録）、溝深さが２０ｎｍである。光ディスク７からの反射光は、対物レンズ５、１／４波長板４、コリメータレンズ３、偏光ビームスプリッタ２を通過した後、受光素子６に入射する。
【００２７】
ここで、受光素子６の受光面は、図２に示すように、光ディスク７上の情報トラック方向（ｔａｎ方向）にほぼ垂直な方向に沿って、光ディスク７からの反射光を０次回折光と±１次回折光とが重なる干渉領域の中央部を除く領域にて受光するように、受光面６ａ，６ｄと受光面６ｂ，６ｃとに２分割されている。さらに、情報トラック方向にほぼ平行な方向に沿って、受光面６ａ，６ｄが受光面６ａと受光面６ｄとに２分割され、受光面６ｂ，６ｃが受光面６ｂと受光面６ｃとに２分割されている。
【００２８】
受光面６ａ，６ｂ，６ｃ，６ｄの出力は、図２に示すように、受光素子６の後段に配置された演算回路による演算に用いられ、この演算により、トラッキングエラー信号ＳTEが生成される。すなわち、受光面６ａ，６ｂ，６ｃ，６ｄの出力をそれぞれＡ、Ｂ、Ｃ、Ｄとすると、和算アンプ１０ａ，１０ｂおよび差動アンプ２０ａによる下記数式１に示す演算によって、トラッキングエラー信号ＳTEが得られる。
【００２９】
【数１】
2005135539.tif 000003
【００３０】
次に、光ディスク７が対物レンズ５に対してラジアル方向（ｒａｄ方向）のチルトを持っている場合について述べる。この場合、光ディスク７からの反射光にはコマ収差が発生し、０次回折光と±１次回折光との干渉領域の中央部が特に大きな影響を受ける。
【００３１】
しかしながら、本実施形態では、受光素子６の受光面を、光ディスク７からの反射光を０次回折光と±１次回折光との干渉領域の中央部では受光しないように配置した上で、トラッキングエラー信号ＳTEを生成しているため、生成されたトラッキングエラー信号ＳTEは、コマによる波面収差の影響が小さいものとなる。
【００３２】
図３に、ラジアル方向のディスクチルトに対するデトラック量の変化の計算値を示す。
【００３３】
図３に示すように、２分割フォトダイオードを用いる従来技術と比較して、本実施形態による光ヘッドではデトラックが極めて小さく抑えられることが分かる。
【００３４】
上述したように本実施形態においては、マスク等の部品を増やすことなく、ディスクチルトによるデトラックの発生を抑えることができ、それにより、ディスクチルトの影響を受けにくいトラッキング制御を行うことができる。また、本実施形態の受光面パターンは、周知の非点収差法によるフォーカス信号検出に利用することも容易である。
【００３５】
（第２の実施形態）
本実施形態は、光ヘッドの装置構成、光束が受光素子６に導かれる過程は第１の実施形態と同様であるが、受光素子６および演算回路の構成が第１の実施形態とは異なる。
【００３６】
第１の実施形態では、受光素子６の受光面を光ディスク７上の情報トラック方向にほぼ垂直な方向に沿って２分割することで、光ディスク７からの反射光を０次回折光と±１次回折光との干渉領域の中央部では受光しないようにしている。これに対して、本実施形態では、図４に示すように、０次回折光と±１次回折光との干渉領域の中央部を遮光するマスク７を光路中に設けることで、光ディスク７からの反射光を干渉領域の中央部では受光しないようにしている。この場合、受光素子６の受光面は、情報トラック方向とほぼ平行な方向に沿って、受光面６ａと受光面６ｃとに２分割するだけで良い。また、この場合、受光面６ａ，６ｃの出力をそれぞれＡ，Ｃとすると、受光素子６の後段に配置された差動アンプ２０ａからなる演算回路により、下記数式２に示す演算が行われることによって、トラッキングエラー信号ＳTEが得られる。
【００３７】
【数２】
2005135539.tif 000004
【００３８】
本実施形態では、マスク７を設け、光ディスク７からの反射光を０次回折光と±１次回折光との干渉領域の中央部では受光しないようにした上で、トラッキングエラー信号ＳTEを生成しているため、生成されたトラッキングエラー信号ＳTEは、第１の実施形態と同様に、コマによる波面収差の影響が小さいものとなる。
【００３９】
したがって、本実施形態では、ディスクチルトによるデトラックの発生を抑えることができ、それにより、ディスクチルトの影響を受けにくいトラッキング制御を行うことができる。また、第１の実施形態と比較して、より単純な受光素子および演算回路によって、ディスクチルトの影響を受けにくいトラッキング制御を行うことができる。
【００４０】
（第３の実施形態）
本実施形態は、光ヘッドの装置構成、光束が受光素子６に導かれる過程は第１の実施形態と同様であるが、受光素子６および演算回路の構成が第１の実施形態とは異なる。
【００４１】
受光素子６の受光面は、図５に示すように、光ディスク７上の情報トラック方向（ｔａｎ方向）にほぼ垂直な方向に沿って、光ディスク７からの反射光を０次回折光と±１次回折光とが重なる干渉領域の中央部を除く領域にて受光する第１の受光面としての受光面６ａ，６ｄおよび受光面６ｂ，６ｃと、光ディスク７からの反射光を干渉領域の中央部にて受光する第２の受光面としての受光面６ｅ，６ｆとに３分割されている。さらに、情報トラック方向とほぼ平行な方向に沿って、受光面６ａ，６ｄ部分が受光面６ａと受光面６ｄとに２分割され、受光面６ｅ，６ｆ部分が受光面６ｅと受光面６ｆとに２分割され、受光面６ｂ，６ｃ部分が受光面６ｂと受光面６ｃとに２分割されている。
【００４２】
受光面６ａ，６ｂ，６ｃ，６ｄ，６ｅ，６ｆの出力は、図５に示すように、受光素子６の後段に配置された演算回路による演算に用いられ、この演算により、トラッキングエラー信号ＳTEおよびチルト信号ＳTILTが生成される。すなわち、受光面６ａ，６ｂ，６ｃ，６ｄ，６ｅ，６ｆの出力をそれぞれＡ、Ｂ、Ｃ、Ｄ、Ｅ、Ｆとすると、和算アンプ１０ａ，１０ｂおよび差動アンプ２０ａ，２０ｂによる下記数式３，４に示す演算によって、トラッキングエラー信号ＳTEおよびチルト信号ＳTILTが得られる。
【００４３】
【数３】
2005135539.tif 000005
【００４４】
【数４】
2005135539.tif 000006
【００４５】
本実施形態では、受光素子６の受光面のうち０次回折光と±１次回折光との干渉領域の中央部を除く領域の出力を基にトラッキングエラー信号ＳTEを生成しているため、生成されたトラッキングエラー信号ＳTEは、第１および第２の実施形態と同様に、コマによる波面収差の影響が小さいものとなる。また、光学的な干渉を利用し、０次回折光と±１次回折光との干渉領域の中央部の出力を基にチルト信号ＳTILTを生成しているため、生成されたチルト信号ＳTILTは、光ディスク７のチルト量を非常に高精度に示したものとなる。
【００４６】
したがって、マスク等の部品を増やすことなく、ディスクチルトによるデトラックの発生を抑えることができ、それにより、ディスクチルトの影響を受けないトラッキング制御を行うことができる。また、同時に、光ディスク７のチルト量を高精度に示すチルト信号を得ることができる。
【００４７】
（第４の実施形態）
本発明の第４の実施形態における光学的情報記録再生装置用光ヘッドの構成を図６に示す。図６に示す光ヘッドは、波長６５０ｎｍの半導体レーザであるレーザ光源１と、偏光ビームスプリッタ２と、コリメータレンズ３と、１／４波長板４と、ＮＡ０．６５の対物レンズ５と、受光素子６と、光学素子である液晶素子８とから構成されており、光ディスク７に対して情報の記録および／または再生を行う。
【００４８】
レーザ光源１から出射した光束は、偏光ビームスプリッタ２を反射した後、コリメータレンズ３、１／４波長板４を通過した後、対物レンズ５によって光ディスク７上の情報トラックに集光される。光ディスク７は、トラックピッチ０.６４μｍ（グルーブ記録）で、溝深さは２０ｎｍである。光ディスク７からの反射光は、対物レンズ５、１／４波長板４、コリメータレンズ３、偏光ビームスプリッタ２、液晶素子８を通過した後、受光素子６に入射する。
【００４９】
ここで、液晶素子８は、液晶セルと偏光板からなり、電気信号のオンオフによって液晶電極パターンの一部の領域の透過率が変化する構成となっている。具体的には、図７に示すように、０次回折光と±１次回折光との干渉領域の中央部の透過率を切り替えることができるようになっている。
【００５０】
受光素子６の受光面は、図８に示すように、情報トラック方向とほぼ平行な方向に沿って、受光面６ａと受光面６ｃとに２分割されている。
【００５１】
受光面６ａ，６ｃの出力は、図８に示すように、受光素子６の後段に配置された演算回路による演算に用いられ、この演算により、トラッキングエラー信号ＳTEおよびチルト信号ＳTILTが生成される。すなわち、液晶素子８の透過率大時の受光面６ａ，６ｃの出力をそれぞれＡ１、Ｃ１、液晶素子８の透過率小時の受光面６ａ，６ｃの出力をそれぞれＡ２、Ｃ２とすると、差動アンプ２０ａ，２０ｂおよびサンプルホールド（Ｓ／Ｈ）回路３０による下記数式５，６に示す演算によって、トラッキングエラー信号ＳTEおよびチルト信号ＳTILTが得られる。
【００５２】
【数５】
2005135539.tif 000007
【００５３】
【数６】
2005135539.tif 000008
【００５４】
詳細には、まず、液晶素子８の透過率を小とし、上記数式５を用いて、その時の受光面６ａ，６ｃの差動出力「Ａ２−Ｃ２」を演算し、得られた値をトラッキングエラー信号ＳTEとする。ここで得られた値「Ａ２−Ｃ２」はサンプルホールド回路３０に保持される。続いて、液晶素子８の透過率を小から大に切り替え、上記数式６を用いて、その時の受光面６ａ，６ｃの差動出力「Ａ１−Ｃ１」とサンプルホールド回路３０に保持されている値「Ａ２−Ｃ２」との差分「（Ａ１−Ｃ１）−（Ａ２−Ｃ２）」を演算し、得られた値をチルト信号ＳTILTとする。
【００５５】
本実施形態では、液晶素子８の透過率を小とし、受光素子６の受光面のうち０次回折光と±１次回折光との干渉領域の中央部では受光しにくいようにした上で、トラッキングエラー信号ＳTEを生成しているため、生成されたトラッキングエラー信号ＳTEは、第１〜第３の実施形態と同様に、コマによる波面収差の影響が小さいものとなる。また、光学的な干渉を利用し、液晶素子８の透過率を切り替えた時の０次回折光と±１次回折光との干渉領域の中央部の出力の差異を基にチルト信号ＳTILTを生成しているため、生成されたチルト信号ＳTILTは、光ディスク７のチルト量を非常に高精度に示したものとなる。また、共通の演算回路によって、トラッキングエラー信号ＳTEおよびチルト信号ＳTILTの双方を得ることができる。
【００５６】
したがって、ディスクチルトによるデトラックの発生を抑えることができ、それにより、ディスクチルトの影響を受けないトラッキング制御を行うことができる。また、同時に、光ディスク７のチルト量を高精度に示すチルト信号を得ることができる。また、第３の実施形態と比較して、より単純な受光素子および演算回路によって、ディスクチルトの影響を受けにくいトラッキング制御を行うことができる。
【図面の簡単な説明】
【００５７】
【図１】本発明の第１〜第３の実施形態における光学的情報記録再生装置用光ヘッドの構成を示す図である。
【図２】本発明の第１の実施形態における受光素子および演算回路の構成を示す図である。
【図３】光ディスクのラジアル方向のチルトに対するトラッキングオフセット量を示す図である。
【図４】本発明の第２の実施形態における受光素子および演算回路の構成を示す図である。
【図５】本発明の第３の実施形態における受光素子および演算回路の構成を示す図である。
【図６】本発明の第４の実施形態における光学的情報記録再生装置用光ヘッドの構成を示す図である。
【図７】本発明の第４の実施形態における液晶素子の構成を示す図である。
【図８】本発明の第４の実施形態における受光素子および演算回路の構成を示す図である。
【図９】従来の光学的情報記録再生装置用光ヘッドの構成を示す図である。
【符号の説明】
【００５８】
１    レーザ光源（半導体レーザ）
２    偏光ビームスプリッタ
３    コリメータレンズ
４    １／４波長板
５    対物レンズ
６    受光素子
７    光ディスク
８    液晶素子
１０ａ，１０ｂ    和算アンプ
２０ａ，２０ｂ    差動アンプ
３０    サンプルホールド回路
【図１】
2005135539.tif 000009
【図２】
2005135539.tif 000010
【図３】
2005135539.tif 000011
【図４】
2005135539.tif 000012
【図５】
2005135539.tif 000013
【図６】
2005135539.tif 000014
【図７】
2005135539.tif 000015
【図８】
2005135539.tif 000016
【図９】
2005135539.tif 000017